(57)【要約】  本発明は、留め具を下方の面に打ち込むための固定工具に関し、固定工具は、留め具を収容するように設計されたホルダと、ホルダで収容された留め具を固定軸に沿って下方の面に前進させるように設計された打ち込み要素と、打ち込み要素を固定軸に沿って留め具に向かって駆動するように設計されたドライブと、を有し、ドライブは、固定軸上、又は固定軸の周りに配置された電気コンデンサを含む。
2021525177.tif 000002
【特許請求の範囲】
【請求項１】
留め具を基板（被打ち込み材）内に打ち込むための固定工具、特に手持ち固定工具であって、留め具を保持するためのホルダと、前記ホルダに保持された留め具を固定軸に沿って前記基板内に搬送するための打ち込み要素と、前記打ち込み要素を前記固定軸に沿って前記留め具に向かって駆動するためのドライブと、を備え、前記ドライブが、電気コンデンサと、前記打ち込み要素に配置されたかご形回転子と、前記コンデンサの急速放電中に、電流が流れ、前記打ち込み要素を前記留め具に向かって加速する磁場を生成する励起コイルと、を備え、前記固定工具が、前記コンデンサの前記急速放電中に前記励起コイルを流れる前記電流のエネルギー量を制御する制御ユニットを有する、固定工具。
【請求項２】
前記急速放電の開始時に前記コンデンサが充電電圧で充電され、前記制御ユニットが、前記充電電圧を制御する、請求項１に記載の固定工具。
【請求項３】
前記制御ユニットが、１つ以上の制御変数に基づいて、前記コンデンサの前記急速放電中に前記励起コイルを流れる前記電流の前記エネルギー量を制御する、請求項１又は２に記載の固定工具。
【請求項４】
前記固定工具が、周囲エリアの及び／又は固定工具の、特に前記励起コイルの温度を検出するための手段を有し、前記１つ以上の制御変数が、前記検出された温度を含む、請求項３に記載の固定工具。
【請求項５】
前記コンデンサの充電電圧が、前記検出された温度が高くなるほど高くなる、請求項４に記載の固定工具。
【請求項６】
前記固定工具が、前記コンデンサの静電容量を検出するための手段を有し、前記１つ以上の制御変数が、前記検出された静電容量を含む、請求項３〜５のいずれか１項に記載の固定工具。
【請求項７】
前記固定工具が、前記固定工具の機械的負荷変数、特に前記固定工具の加速度を検出するための手段を有し、前記１つ以上の制御変数が、前記検出された機械的負荷変数を含む、請求項３〜６のいずれか１項に記載の固定工具。
【請求項８】
前記固定工具が、前記基板への前記留め具の打ち込み深さを検出するための手段を有し、前記１つ以上の制御変数が、前記検出された打ち込み深さを含む、請求項３〜７のいずれか１項に記載の固定工具。
【請求項９】
前記打ち込み要素が、前記留め具の前記基板内への前記搬送中に反転位置に移動し、次いで反対方向に移動し、前記打ち込み深さを検出するための前記手段が、前記打ち込み要素の前記反転位置を検出するための手段を備える、請求項８に記載の固定工具。
【請求項１０】
前記固定工具が、前記打ち込み要素の速度を検出するための手段を有し、前記１つ以上の制御変数が、前記検出された速度を含む、請求項３〜９のいずれか１項に記載の固定工具。
【請求項１１】
前記打ち込み要素の速度を検出するための前記手段が、前記打ち込み要素が前記留め具に向かって移動している間に第１の位置を通過する際の第１の時点を検出するための手段と、前記打ち込み要素が前記留め具に向かって移動している間に第２の位置を通過する際の第２の時点を検出するための手段と、前記第１の時点と前記第２の時点との間の時間差を検出するための手段と、を備える、請求項１０に記載の固定工具。
【請求項１２】
前記固定工具が、ユーザによって調整できる操作要素を有し、前記１つ以上の制御変数が、前記操作要素の調整を含む、請求項３〜１１のいずれか１項に記載の固定工具。
【請求項１３】
前記操作要素が、調整ホイール及び／又はスライダを備える、請求項１２に記載の固定工具。
【請求項１４】
前記固定工具が、前記留め具の特性変数を検出するための手段を有し、前記１つ以上の制御変数が、前記検出された特性変数を含む、請求項３〜１３のいずれか１項に記載の固定工具。
【請求項１５】
前記留め具の前記特性変数が、前記留め具のタイプ及び／又は範囲、特に長さ及び／又は直径、及び／又は材料を含む、請求項１４に記載の固定工具。
【発明の詳細な説明】
【技術分野】
【０００１】
本発明は、留め具を基板（被打ち込み材）に打ち込むための固定工具に関する。
【背景技術】
【０００２】
そのような固定工具は通常、留め具用のホルダを有し、ホルダからホルダ内に保持された留め具を固定軸に沿って基板内に搬送する。このため、打ち込み要素は、ドライブによって固定軸に沿って留め具に向かって駆動される。
【０００３】
特許文献１は、打ち込み要素用のドライブを備えた固定工具を開示している。ドライブは、電気コンデンサとコイルとを有する。打ち込み要素を駆動するために、コンデンサはコイルを介して放電され、それによってローレンツ力が打ち込み要素に作用し、その結果、打ち込み要素が釘に向かって移動する。
【先行技術文献】
【特許文献】
【０００４】
【特許文献１】米国特許第６，８３０，１７３号明細書
【発明の概要】
【発明が解決しようとする課題】
【０００５】
本発明の目的は、高効率及び／又は良好な固定品質が保証される、前述のタイプの固定工具を提供することである。
【課題を解決するための手段】
【０００６】
この目的は、留め具を基板（被打ち込み材）に打ち込むための固定工具によって達成され、固定工具は、留め具を保持するためのホルダと、ホルダに保持された留め具を固定軸に沿って基板内に搬送するための打ち込み要素と、打ち込み要素を固定軸に沿って留め具に向かって駆動するためのドライブと、を備え、ドライブは、電気コンデンサと、打ち込み要素上に配置されたかご形回転子と、コンデンサの急速放電中に、電流が流れ、打ち込み要素を留め具に向かって加速する磁場を生成する励起コイルと、を備え、固定工具は、コンデンサの急速放電中に励起コイルを流れる電流のエネルギー量を制御する制御ユニットを有する。制御ユニットは、好ましくは、コンデンサの急速放電中に励起コイルを流れる電流のエネルギー量を無段階に調整する。
【０００７】
本発明において、コンデンサは、電荷及び関連するエネルギーを電界に貯蔵する電気構成要素を意味するものとして理解されるべきである。特に、コンデンサは、２つの導電性電極を有し、両電極が異なって帯電すると、その間に電界が形成される。本発明において、留め具は、例えば、釘、ピン、クランプ、クリップ、スタッド、特にねじ付きボルトなどを意味するものとして理解されるべきである。
【０００８】
本発明の有利な態様では、急速放電の開始時にコンデンサが充電電圧で充電され、制御ユニットが、充電電圧を制御する、ことを特徴とする。コンデンサは、好ましくは、急速放電前に充電プロセスで充電され、充電プロセスは、制御ユニットによって制御される。
【０００９】
有利な態様では、制御ユニットが、１つ以上の制御変数に基づいて、コンデンサの急速放電中に励起コイルを流れる電流のエネルギー量を制御する、ことを特徴とする。
【００１０】
特に有利な態様では、固定工具が、周囲エリアの及び／又は固定工具の温度を検出するための手段を有し、１つ以上の制御変数が、検出された温度を含む、ことを特徴とする。検出された温度は、好ましくは、励起コイルの温度である。同様に好ましくは、コンデンサの急速放電中に、コンデンサの充電電圧は、検出された温度が高くなるほど高く設定される。これにより、温度上昇に伴う励起コイルのオーミック抵抗の増大を補償することを可能にする。
【００１１】
更に特に有利な態様では、固定工具が、コンデンサの静電容量を検出するための手段を有し、１つ以上の制御変数が、検出された静電容量を含む、ことを特徴とする。これにより、コンデンサの経年劣化に伴う静電容量の減少を補償することが可能になる。代替的又は追加的に、コンデンサの製造中の静電容量の製造変動を補償することが可能である。
【００１２】
更に特に有利な態様では、固定工具が、固定工具の機械的負荷変数を検出するための手段を有し、１つ以上の制御変数が、検出された機械的負荷変数を含む、ことを特徴とする。検出される負荷変数は、好ましくは、固定工具の加速度である。これにより、設定プロセスのエネルギーが過剰又は不十分な場合に、後続の設定プロセスに対する固定エネルギーを再調整することを可能にする。
【００１３】
更に特に有利な態様では、固定工具が、基板への留め具の打ち込み深さを検出するための手段を有し、１つ以上の制御変数が、検出された打ち込み深さを含む、ことを特徴とする。これにより、設定プロセスのエネルギーが過剰又は不十分な場合に、後続の設定プロセスに対する固定深さを再調整することを可能にする。打ち込み要素は、好ましくは、留め具の基板内への搬送中に反転位置に移動し、次いで反対方向に移動し、打ち込み深さを検出するための手段は、打ち込み要素の反転位置を検出するための手段を含む。
【００１４】
更に特に有利な態様では、固定工具が、打ち込み要素の速度を検出するための手段を有し、１つ以上の制御変数が、検出された速度を含む、ことを特徴とする。これにより、設定プロセスのエネルギーが過剰又は不十分な場合に、後続の設定プロセスに対する固定エネルギーを再調整することを可能にする。打ち込み要素の速度を検出するための手段は、好ましくは、打ち込み要素が留め具に向かって移動している間に第１の位置を通過する際の第１の時点を検出するための手段と、打ち込み要素が留め具に向かって移動している間に第２の位置を通過する際の第２の時点を検出するための手段と、第１の時点と第２の時点との間の時間差を検出するための手段と、を備える。
【００１５】
更に特に有利な態様では、固定工具が、ユーザによって調整できる操作要素を有し、１つ以上の制御変数が、操作要素の調整を含む、ことを特徴とする。操作要素は、好ましくは、調整ホイール及び／又はスライダを含む。
【００１６】
更に特に有利な態様では、固定工具が、留め具の特性変数を検出するための手段を有し、１つ以上の制御変数が、検出された特性変数を含む、ことを特徴とする。これにより、固定エネルギーを、それぞれの留め具の要件に適合させることが可能になる。留め具の特性変数は、好ましくは、留め具のタイプ及び／又は範囲及び／又は材料を含む。特に好ましくは、留め具の特性変数は、留め具の長さ及び／又は直径を含む。
【００１７】
本発明は、図面中で複数の実施例で示されている。
【図面の簡単な説明】
【００１８】
【図１】固定工具の縦断面図である。
【図２】固定工具の回路図である。
【発明を実施するための形態】
【００１９】
図１は、図示されていない基板（被打ち込み材）に留め具を打ち込むための手持ち固定工具１０を示している。固定工具１０は、スタッドガイドとして形成されたホルダ２０を有し、ここに、釘として形成された留め具３０が（図１の左側に）固定軸Ａに沿って基板に打ち込まれるために保持されている。留め具をホルダに供給する目的で、固定工具１０は、留め具がストア内に個別に、又は留め具ストリップ５０の形態で保持されて、ホルダ２０に１つずつ搬送されるマガジン４０を備える。この目的のために、マガジン４０は、特に示されていない、バネ仕掛け供給要素を有する。固定工具１０は、ピストンプレート７０及びピストンロッド８０を含む打ち込み要素６０を有する。打ち込み要素６０は、留め具３０をホルダ２０から固定軸Ａに沿って基板内に搬送するために提供される。そのプロセスでは、打ち込み要素６０は、そのピストンプレート７０で、固定軸Ａに沿ってガイドシリンダ９５で案内される。
【００２０】
打ち込み要素６０は、その一部が、ピストンプレート７０上に配置されたかご形回転子９０、励起コイル１００、軟磁性フレーム１０５、スイッチング回路２００、及び内部抵抗が５ｍΩのコンデンサ３００を備えるドライブによって駆動される。かご形回転子９０は、好ましくはリング状、特に好ましくは円形リング状の、低電気抵抗の、例えば銅製の要素からなり、例えば、ホルダ２０とは反対側を向くピストンプレート７０の側部上のピストンプレート７０に、はんだ付けされ、溶接され、接着接合され、クランプされ、又は形状適合方式で結合されて、締結される。図示されていない実施例では、ピストンプレート自体が、かご形回転子として形成されている。スイッチング回路２００は、事前に充電されたコンデンサ３００の急速放電を引き起こし、それによってフレーム１０５に組み込まれた励起コイル１００を通して流れる放電電流を伝導するために提供される。フレームは、好ましくは、少なくとも１．０Ｔの飽和磁束密度、及び／又は最大１０６Ｓ／ｍの実効比電気伝導率を有し、その結果、励起コイル１００によって生成される磁場がフレーム１０５によって増強され、フレーム１０５内の渦電流は抑制される。
【００２１】
打ち込み要素６０（図１）の準備完了位置では、打ち込み要素６０は、かご形回転子９０が励起コイル１００から少し離れたところに配置されるように、ピストンプレート７０で、特に示されていないフレーム１０５のリング状の凹部に入る。その結果、励起コイルを流れる電気励起電流の変化によって生成される励起磁場は、かご形回転子９０を通過し、その一部が、かご形回転子９０に、リング状に循環する二次電流を誘導する。増大し、したがって変化するこの二次電流は、次いで励起磁場に対抗する二次磁場を生成し、その結果、かご形回転子９０はローレンツ力を受け、それによって励起コイル１００によって反発されて、打ち込み要素６０をホルダ２０とその中に保持された留め具３０とに向けて駆動する。
【００２２】
固定工具１０は、ドライブが保持されるハウジング１１０と、トリガとして形成された操作要素１３０を備えたハンドル１２０と、充電式バッテリとして形成された電気エネルギー貯蔵器１４０と、制御ユニット１５０と、トリップスイッチ１６０と、接触圧力スイッチ１７０と、フレーム１０５上に配置された温度センサ１８０として形成された励起コイル１００の温度を検出するための手段と、制御ユニット１５０を電気エネルギー貯蔵器１４０、トリップスイッチ１６０、接触圧力スイッチ１７０、温度センサ１８０、スイッチング回路２００、及びコンデンサ３００にそれぞれ接続する電気接続ライン１４１、１６１、１７１、１８１、２０１、３０１と、を更に備える。図示されていない実施例では、固定工具１０は、電気エネルギー貯蔵器１４０の代わりに、又は電気エネルギー貯蔵器１４０に加えて、電力ケーブルによって電気エネルギーを供給される。制御ユニットは、好ましくはプリント回路基板上で相互接続されて１つ以上の電気制御回路、特に１つ以上のマイクロプロセッサを形成する、電子構成要素を備える。
【００２３】
固定工具１０が（図１の左側上に）示されていない基板に対して押し付けられると、特に示されていない接触圧力要素が、接触圧力スイッチ１７０を操作し、その結果、接続ライン１７１によって接触圧力信号を制御ユニット１５０に送信する。これにより、制御ユニット１５０をトリガしてコンデンサ充電プロセスを開始し、ここで、コンデンサ３００を充電するために、電気エネルギーが、接続ライン１４１によって電気エネルギー貯蔵器１４０から制御ユニット１５０に、且つ、接続ライン３０１によって制御ユニット１５０からコンデンサ３００に伝導される。この目的のために、制御ユニット１５０は、電気エネルギー貯蔵器１４０からの電流をコンデンサ３００のための適切な充電電流に変換する、特に示されていないスイッチングコンバータを備える。コンデンサ３００が充電され、打ち込み要素６０が図１に示されるその準備完了位置にあるとき、固定工具１０は準備完了状態にある。コンデンサ３００の充電は、固定工具１０を基板に対して押し付けることによってのみ実施されるので、エリアの人々の安全性を高めるために、設定プロセスは、固定工具１０が基板に対して押し付けられたときのみに実行可能になる。図示されていない実施例では、制御ユニットは、固定工具がオンにされるときに、又は固定工具が基板から持ち上げられるときに、又は先行する打ち込みプロセスが完了するときに、コンデンサ充電プロセスをすでに開始している。
【００２４】
操作要素１３０が、例えば、ハンドル１２０を保持している手の人差し指を使用して引っ張られることで、固定工具１０が準備完了状態で操作されると、操作要素１３０はトリップスイッチ１６０を操作し、その結果、接続ライン１６１によってトリップ信号が制御ユニット１５０に送信される。これにより、制御ユニット１５０をトリガしてコンデンサ放電プロセスを開始し、ここで、コンデンサ３００に貯蔵された電気エネルギーが、コンデンサ３００が放電されることによって、スイッチング回路２００を用いてコンデンサ３００から励起コイル１００に伝導される。
【００２５】
このために、図１に概略的に示されるスイッチング回路２００は、２つの放電ライン２１０、２２０を備え、これらは、コンデンサ３００を励起コイル２００に接続し、これらのうちの少なくとも１つの放電ライン２１０は、通常開である放電スイッチ２３０によって遮断される。スイッチング回路２００は、励起コイル１００及びコンデンサ３００と電気発振回路を形成する。この発振回路の前後の発振、及び／又はコンデンサ３００の負の充電は、ドライブの効率に悪影響を及ぼす可能性があり得るが、フリーホイールダイオード２４０を用いて抑制することができる。放電ライン２１０、２２０は、例えば、はんだ付け、溶接、ねじ込み、クランプ、又は形状適合接続によって、いずれの場合も、ホルダ２０に面するコンデンサ３００の端部側３６０上に配置されたコンデンサ３００の電気接点３７０、３８０によって、コンデンサ３００の１つの電極３１０、３２０に電気的に接続される。放電スイッチ２３０は、好ましくは、高電流強度の放電電流をスイッチングするのに適した、例えば、サイリスタとして形成される。加えて、放電ライン２１０、２２０は、互いに小さな距離にあるので、それらによって誘導される寄生磁場は可能な限り低くなる。例えば、放電ライン２１０、２２０は、組み合わされてバスバーを形成し、適切な手段、例えば、保持デバイス又はクランプによって一緒に保持される。図示されていない実施例では、フリーホイールダイオードは、放電スイッチと電気的に並列に接続されている。図示されていない更なる実施例では、フリーホイールダイオードは回路内にはない。
【００２６】
コンデンサ放電プロセスを開始する目的で、制御ユニット１５０は、接続ライン２０１によって放電スイッチ２３０を閉じ、その結果、高電流強度のコンデンサ３００の放電電流が、励起コイル１００を流れる。急速に上昇する放電電流は、かご形回転子９０を通過する励起磁場を誘導し、その一部が、かご形回転子９０内に、リング状に循環する二次電流を誘導する。増大するこの二次電流は、次いで励起磁場に対抗する二次磁場を生成し、その結果、かご形回転子９０はローレンツ力を受け、それによって励起コイル１００によって反発されて、打ち込み要素６０をホルダ２０とその中に保持された留め具３０とに向けて駆動する。打ち込み要素６０のピストンロッド８０が留め具３０の、特に示されていないヘッドに接触するとすぐに、留め具３０は、打ち込み要素６０によって基板内に打ち込まれる。打ち込み要素６０の過剰な運動エネルギーは、打ち込み要素６０がピストンプレート７０と共にブレーキ要素８５に対して移動し、それが停止するまでブレーキ要素８５によりブレーキがかけられることによって、ばね弾性及び／又は減衰材料、例えばゴムで作られたブレーキ要素８５によって吸収される。次いで、打ち込み要素６０は、特に示されていないリセットデバイスによって、準備完了位置にリセットされる。
【００２７】
コンデンサ３００、特にその重心は、固定軸Ａ上の打ち込み要素６０の後ろに配置されるが、ホルダ２０は、打ち込み要素６０の前に配置される。したがって、固定軸Ａに関して、コンデンサ３００は、打ち込み要素６０に対して軸方向にオフセットされた方法で、及び打ち込み要素６０と半径方向にオーバーラップするように配置されている。その結果、一方では、長さが短い放電ライン２１０、２２０を実現することができ、その結果、それらの抵抗を低減することができるため、ドライブの効率を高めることができる。一方、固定工具１０の重心と固定軸Ａとの間に、わずかな距離を実現することができる。その結果、打ち込みプロセス中に固定工具１０が反動した場合の傾斜（角度）モーメントは小さい。図示されていない実施例では、コンデンサは、打ち込み要素の周りに配置されている。
【００２８】
電極３１０、３２０は、例えば、キャリアフィルム３３０のメタライゼーションによって、特に蒸着によって、固定軸Ａと一致する巻線軸の周りに巻かれたキャリアフィルム３３０の両側に配置される。図示されていない実施例では、電極を備えたキャリアフィルムは、巻線軸に沿って通路が残るように巻線軸の周りに巻かれている。特に、この場合、コンデンサは、例えば、固定軸の周りに配置されている。キャリアフィルム３３０は、１５００Ｖのコンデンサ３００の充電電圧で、２．５μｍ〜４．８μｍの膜厚を有し、３０００Ｖのコンデンサ３００の充電電圧で、例えば９．６μｍの膜厚を有する。図示されていない実施例では、キャリアフィルムは、その一部が、層として上下に配置された２つ以上の個別のフィルムからなる。電極３１０、３２０は、５０Ω／□のシート抵抗を有する。
【００２９】
コンデンサ３００の表面は、円筒、特に円柱の形状をしており、その円柱軸は、固定軸Ａと一致している。巻線軸方向のこの円柱の高さは、巻軸に垂直に測定して、その直径と実質的に同じサイズである。シリンダの直径に対する高さの比が小さいため、コンデンサ３００の比較的高い静電容量に対する低内部抵抗、及びとりわけ、固定工具１０のコンパクト構造が実現される。コンデンサ３００の低内部抵抗はまた、電極３１０、３２０の大きなライン断面によって、特に電極３１０、３２０の厚い層厚によって実現され、ここでは、自己回復効果、及び／又はコンデンサ３００の耐用年数に対する層厚の影響を考慮に入れるべきである。
【００３０】
コンデンサ３００は、減衰要素３５０によって減衰されるように、固定工具１０の残りの部分に取り付けられている。減衰要素３５０は、固定軸Ａに沿った固定工具１０の残りの部分に対するコンデンサ３００の動きを減衰させる。減衰要素３５０は、コンデンサ３００の端部側３６０上に配置され、端部側３６０を完全に覆う。結果として、キャリアフィルム３３０の個々の巻線は、固定工具１０の反動による均一な負荷を受ける。この場合、電気接点３７０、３８０は、端面３６０から突出し、減衰要素３５０を通過する。このために、それぞれの場合の減衰要素３５０は、電気接点３７０、３８０が突出するためのクリアランスを有する。接続ライン３０１はそれぞれ、コンデンサ３００と、固定工具１０の残りの部分との間の相対的な動きを補償するために、詳細には示されていない、ひずみ緩和及び／又は拡張ループを有する。図示されていない実施例では、更なる減衰要素が、コンデンサ上に、例えば、ホルダとは反対側に面するコンデンサの端部側上に配置される。次いで、コンデンサは、好ましくは、２つの減衰要素間にクランプされ、すなわち、減衰要素は、プレストレスでコンデンサを支える。図示されていない更なる実施例では、接続ラインは、コンデンサからの距離が増大するにつれて連続的に減少する剛性を有する。
【００３１】
図２は、図示されていない基板に留め具を打ち込むための固定工具の電気回路図４００を示しており、固定工具は図示されていない。固定工具は、図示されていないハウジングと、図示されていない操作要素付きハンドルと、図示されていないホルダと、図示されていないマガジンと、図示されていない打ち込み要素と、打ち込み要素用のドライブと、を有する。ドライブは、打ち込み要素上に配置された図示されていないかご形回転子と、励起コイル４１０と、図示されていない軟磁性フレームと、スイッチング回路４２０と、コンデンサ４３０と、充電式バッテリとして設計された電気エネルギー貯蔵器４４０と、及び例えばＤＣ／ＤＣコンバータとして設計されたスイッチングコンバータ４５１を備えた制御ユニット４５０と、を備える。スイッチングコンバータ４５１は、電気エネルギー貯蔵器４４０に電気的に接続された低電圧側ＵＬＶと、コンデンサ４３０に電気的に接続された高電圧側ＵＨＶとを有する。
【００３２】
スイッチング回路４２０は、事前に充電されたコンデンサ４３０の急速放電を引き起こし、それによって励起コイル４１０を通して流れる放電電流を伝導するために設けられる。この目的のために、スイッチング回路４２０は、２つの放電ライン４２１、４２２を含み、それらはコンデンサ４３０を励起コイル４２０に接続し、それらの少なくとも１つの放電ライン４２１は、通常開である放電スイッチ４２３によって遮断される。フリーホイールダイオード４２４は、励起コイル４１０及びコンデンサ４３０を備えたスイッチング回路４２０によって形成された発振回路の前後の過度の発振を抑制する。
【００３３】
固定工具が基板に対して押し付けられると、制御ユニット４５０は、コンデンサ充電プロセスを開始し、ここで、電気エネルギーが、コンデンサ４３０を充電するために、電気エネルギー貯蔵器４４０から制御ユニット４５０のスイッチングコンバータ４５１に、且つ、スイッチングコンバータ４５１からコンデンサ４３０に伝導される。そのプロセスでは、スイッチングコンバータ４５１は、例えば２２Ｖの電圧で、電気エネルギー貯蔵器４４０からの電流を、例えば１５００Ｖの電圧で、コンデンサ４３０のための適切な充電電流に変換する。
【００３４】
図示されていない作動要素の作動によってトリガされると、制御ユニット４５０は、コンデンサ放電プロセスを開始し、ここで、コンデンサ４３０に貯蔵された電気エネルギーが、コンデンサ４３０が放電されることによって、スイッチング回路４２０を用いてコンデンサ４３０から励起コイル４１０に伝導される。コンデンサ放電プロセスを開始する目的で、制御ユニット４５０は、放電スイッチ４３０を閉じ、その結果として、高電流強度のコンデンサ４３０の放電電流が、励起コイル４１０を流れる。結果として、図示されていないかご形回転子は、ローレンツ力を受け、励起コイル４１０によって反発され、打ち込み要素を駆動する。打ち込み要素は、図示されていないリセットデバイスによって、準備完了位置にリセットされる。
【００３５】
コンデンサ４３０の急速放電中に励起コイル４１０を流れる電流のエネルギー量は、コンデンサ４３０に印加される充電電圧（ＵＨＶ）が、コンデンサ充電プロセス中及び／又はその終了時に、並びに急速放電の開始前に設定されるという点で、制御ユニット４５０によって、特に無段階に制御される。充電されたコンデンサ４３０に貯蔵された電気エネルギー、したがってコンデンサ４３０の急速放電中に励起コイル４１０を流れる電流のエネルギー量もまた、充電電圧に比例して、したがって充電電圧によって制御することができる。コンデンサは、充電電圧ＵＨＶが設定点値に到達するまでに、コンデンサ充電プロセス中に充電される。次いで、充電電流がオフになる。例えば寄生効果により、急速放電の前に充電電圧が減少した場合、充電電圧ＵＨＶが再び設定点値に到達するまで、充電電流が再びオンになる。
【００３６】
制御ユニット４５０は、複数の制御変数に基づいて、コンデンサ４３０の急速放電中に励起コイル４１０を流れる電流のエネルギー量を制御する。この目的のために、固定工具は、励起コイル４１０の温度を検出するための温度センサ４６０として設計された手段と、例えば、計算プログラム４７０として設計され、コンデンサ充電プロセス中の充電電流の電流強度及び電圧のプロファイルからコンデンサの静電容量を計算する、コンデンサの静電容量を検出するための手段と、を備える。固定工具は、固定工具の機械的負荷変数を検出するための加速度センサ４８０として設計された手段を更に備える。固定工具は、基板への留め具の打ち込み深さを検出するための手段を更に備え、この手段は、例えば、図示されていない打ち込み要素の反転位置を含む、光学的、容量性、又は誘導性の近接センサ４９０である、近接センサ４９０を備える。固定工具は、打ち込み要素が留め具に向かって移動している間に第１の位置を通過する際の第１の時点を検出するための第１の近接センサ５００として設計された手段を有する、打ち込み要素の速度を検出するための手段と、打ち込み要素が留め具に向かって移動している間に第２の位置を通過する際の第２の時点を検出するための第２の近接センサ５１０として設計された手段と、第１の時点と第２の時点との間の時間差を検出するための計算プログラム５２０として設計された手段と、を更に備える。固定工具は、ユーザが調整できる操作要素５３０と、打ち込まれる留め具の特性変数を検出するためのバーコードリーダー５４０として設計された手段と、を更に備える。
【００３７】
制御ユニット４５０がコンデンサ４３０の急速放電中に励起コイル４１０を流れる電流のエネルギー量を制御することが依存する制御変数には、温度センサ４６０によって検出温度、及び／又は計算プログラム４７０によって計算されたコンデンサの静電容量、及び／又は加速度センサ４８０によって検出された固定工具の負荷変数、及び／又は近接センサ４９０によって検出された留め具の打ち込み深さ、及び／又は計算プログラム５２０によって計算された打ち込み要素の速度、及び／又はユーザによって調整された操作要素５３０の調整、及び／又はバーコードリーダー５４０によって検出された留め具の特性変数、が含まれる。
【００３８】
本発明は、図面に示されている一連の実施例、及び図示されていない実施例を使用して説明されてきた。様々な実施例の個別の特徴は、それらが矛盾しないという前提で、個別に、又は互いに任意の所望の組み合わせで、適用可能である。本発明による固定工具はまた、他の用途にも使用できることに留意されたい。
【図１】
2021525177.tif 000003
【図２】
2021525177.tif 000004
【国際調査報告】
2021525177.tif 000005
2021525177.tif 000006
2021525177.tif 000007
2021525177.tif 000008